(57)【特許請求の範囲】
【請求項１】
天井に予め適宜間隔で取り付けられている吊りボルトにアングル材を介してストリンガーを固着し、上記ストリンガーに直交する方向に複数の天井ルーバーを固定する天井ルーバーの取付構造において、
上記ストリンガーの上部には、その長手方向に沿って断面が横向きに開口するアリ溝形のレールを、下部にはその長手方向に沿って間隔をおいて複数のＵ字形切欠きを設け、上記天井ルーバーの上部には上向きに開口するアリ溝形の取付溝を形成し、上記アングル材を第１の固定手段を介して上記横向きのレールに取り付け、上記天井ルーバーを、上記切欠きに係合固定した第２の固定手段によって取り付けた
ことを特徴とする天井ルーバーの取付構造。
【請求項２】
上記第１の固定手段は、頭部がストリンガーのレール内に摺動自在に取り付けられるとともにアングル材に貫通したボルトと、該ボルトに締結固定されたナットとによって構成されていることを特徴とする、請求項１に記載の天井ルーバーの取付構造。
【請求項３】
上記第２の固定手段は、頭部が天井ルーバーの取付溝内に摺動自在に取り付けられるとともに、上記切欠きに係合したボルトと、該ボルトに締結固定されたナットとによって構成されていることを特徴とする、請求項１又は２に記載の天井ルーバーの取付構造。
【発明の詳細な説明】
【技術分野】
【０００１】
本発明は、建物内部や外部の軒、地下道や駅構内、渡り廊下、体育館などの天井に設ける天井ルーバーの取付構造に関する。
【背景技術】
【０００２】
一般に、この種の天井ルーバーは、天井に設けた吊りボルトを使用して取り付けられている。例えば、特許文献１に示されるものは、吊りボルトの下にターンバックルを介して下部吊りボルトを取り付け、この下部吊りボルトの下部にチャンネル材を固定し、さらにチャンネル材の下部に断面Ｌ形の多数の板状ルーバー片を平行に配置して固着している。
【０００３】
ターンバックルによりチャンネル材の高さ調整ができるので、ルーバーの連続性の良い外観が得られる。
【先行技術文献】
【特許文献】
【０００４】
【特許文献１】実開昭６２−１９３０１４号公報
【発明の概要】
【発明が解決しようとする課題】
【０００５】
しかしながら、上述のように下部吊りボルトにチャンネル材を支承する取付構造では、チャンネル材の支承位置に穴等を加工する必要があり、作業性がよくない。
【０００６】
また、支承による取り付けのため、地震等の揺れの際、チャンネル材が抜け落ちる可能性がある。
【０００７】
本発明は上記問題点を解消し、天井ルーバーを位置決めが容易で、簡単かつ確実に固定することができる天井ルーバーの取付構造を提供することをその課題とする。
【課題を解決するための手段】
【０００８】
前記課題を解決するため、請求項１に係る発明は、天井に予め適宜間隔で取り付けられている吊りボルトにアングル材を介してストリンガーを固着し、上記ストリンガーに直交する方向に複数の天井ルーバーを並列状態で固定する天井ルーバーの取付構造において、上記ストリンガーの上部には、その長手方向に沿って断面が横向きに開口するアリ溝形のレールを、下部にはその長手方向に沿って間隔をおいて複数の切欠きを設け、上記天井ルーバーの上部には上向きに開口するアリ溝形の取付溝を形成し、上記アングル材を第１の固定手段を介して上記横向きのレールに取り付け、上記天井ルーバーを、上記切欠きに係合固定した第２の固定手段によって取り付けたことを特徴とする。
【０００９】
請求項２に係る発明は、請求項１において、上記第１の固定手段は、頭部がストリンガーのレール内に摺動自在に取り付けられるとともにアングル材に貫通したボルトと、該ボルトに締結固定されたナットとによって構成されていることを特徴とする。
【００１０】
請求項３に係る発明は、請求項１又は２において、上記第２の固定手段は、頭部が天井ルーバーの取付溝１０内に摺動自在に取り付けられるとともに、上記切欠きに係合したボルトと、該ボルトに締結固定されたナットとによって構成されていることを特徴とする。
【発明の効果】
【００１１】
請求項１に係る発明によれば、アングル材を、第１の固定手段を介して、ストリンガーの断面が横向きに開口するアリ溝形のレールに取り付ける構成なので、例えば第１の固定手段をボルト、ナットによって構成し、上記レールの端部からボルトの頭部又はナットを挿入し、ストリンガーの長手方向に沿ってスライドさせることにより、どの位置でもアングル材に締結することができる。
【００１２】
また、ストリンガーの下部に形成された切欠きに係合固定した第２の固定手段を、天井ルーバーの上部には上向きに開口するアリ溝形の取付溝に固定することによって取り付ける構成であるから、例えば第２の固定手段をボルト、ナットによって構成し、上記取付溝の端部からボルトの頭部又はナットを挿入し、天井ルーバーの長手方向に沿ってスライドさせることにより、どの位置でもストリンガーに締結することができる。
【００１３】
したがって、アングルとストリンガーの位置決めが容易であるから、天井ルーバーを簡単かつ確実に固定することができる。
【００１４】
また、既設の吊りボルトを、ストリンガーに穴加工等を施すことなく固着できるため、コストを低減することができる。
【００１５】
さらに、ストリンガーにより既設の吊りボルトに、天井ルーバーを適宜配設間隔で取り付けることができるため、容易に顧客の要望どおりの施工ができる。
【００１６】
ストリンガーもアルミニウムの形材を使用することができ、取り付けられた天井を床側から見上げたときに、天井ルーバーの間からストリンガーが視認できても、統一感があり、美観を損ねることがない。
【００１７】
さらにまた、天井ルーバーは上部にアリ溝形の取付溝があればいいだけであり、取付溝の下方のデザインは自由に選択することができるから、例えばいろいろな形状の天井ルーバーを同一のストリンガーに取り付けることもできる。このような場合、部品点数が少なくコストが抑えられ、デザインの自由度も向上する。
【００１８】
請求項２に係る発明によれば、第１の固定手段は、頭部がストリンガーのレール内に摺動自在に取り付けられるとともにアングル材に貫通したボルトと、該ボルトに締結固定されたナットとによって構成されているので、レール内に挿入したボルト頭部を、レールの長手方向に沿って自由に摺動させることができるため、既設の吊りボルトにストリンガーを容易に取り付けることができ、作業性がよい。また、ボルトの位置決め後、ナットで締結するだけで確実に固定できるため、容易に安全な取付けが可能であり、また、ボルトを緩めると、位置を容易に変更できるため、作業性がよい。
【００１９】
請求項３に係る発明によれば、第２の固定手段は、頭部が天井ルーバーの取付溝内に摺動自在に取り付けられるとともに、上記切欠きに係合したボルトと、該ボルトに締結固定されたナットとによって構成されているので、取付溝内に挿入したボルト頭部を、その長手方向に沿って自由に摺動させることができるため、ストリンガーがどの位置にあっても容易に取り付けることができ、作業性がよい。また、ボルトの位置決め後、ボルトを締結するだけで確実に固定されるため、容易に安全な取付が可能であり、またボルトを緩めると、位置を容易に変更できるため、作業性がよい。さらに、ボルトは切欠きに係合する構成であるから、抜き差しがしやすく、作業性がよい。
【図面の簡単な説明】
【００２０】
【図１】本発明に係る天井ルーバーの取付構造を示す斜視図
【図２】ストリンガーの斜視図
【図３】異なるストリンガーの斜視図
【図４】（ａ）（ｂ）はそれぞれ上記天井ルーバーの取付構造を示す正面図及び側面図
【図５】（ａ）（ｂ）（ｃ）は天井ルーバーの異なる実施態様を示す断面図
【図６】（ａ）〜（ｅ）は天井ルーバーの他の異なる実施態様を示す断面図
【図７】天井ルーバーの他の取付構造を示す斜視図
【発明を実施するための形態】
【００２１】
図１は本発明に係る天井ルーバーの取付構造の斜視図である。同図において、符号１は天井から垂設された吊りボルトである。吊りボルト１は予め平行な線上に間隔をおいて並列状態に取り付けられているもので、既設のものであっても、新設のものであってもよい。また、隣り合う吊りボルト間の間隔は一定でもよく、あるいは異なっていてもよい。
【００２２】
次に、吊りボルト１にはアングル材２を介してストリンガー４が固定されている。アングル材２は短尺の金属部材で、水平片２ａには吊りボルト１が貫通し、水平片２ａを挟んで上下に締結されたナット３によって固定されている。
【００２３】
アングル材２の垂直片２ｂにはストリンガー４が取り付けられている。ストリンガー４は長尺のアルミニウム製押出形材で、下部が傾斜した垂直部４ａと下部の水平部４ｂとを連結した構造を有し、垂直部４ａの上部には水平部４ｂが延びる方向の長手に沿って断面が横向きに開口するアリ溝形のレール５が形成されている。図２に示されるように、下部の水平部４ｂにはその長手方向に沿って間隔をおいて複数のＵ字形切欠き６が設けられている。切欠き６は溝形であればどのような形状でもよく、Ｕ字形である必要はない。また、図３に示すように垂直部４ａの下部と水平部４ｂが直角に連結し、垂直部の上部には水平部４ｂとは反対面の長手方向に沿って断面が開口するアリ溝形のレール５が形成されてもよい。
【００２４】
アングル材２の垂直片2ｂにストリンガー４を取り付けるときは、図４（ａ）（ｂ）に示されるように、アングル材２を第１の固定手段を介してストリンガー４の横向きのレール５に取り付けることによって行われる。第１の固定手段はボルト７とナット８とによって構成されている。ボルト７の頭部はストリンガー４のレール５内に摺動自在に取り付けられている。ボルト７の軸部はアングル材２に形成されたボルト挿通孔を貫通し、貫通したボルト７の端部に締結されたナット８によって固定されている。
【００２５】
次に、ストリンガー４の下部には天井ルーバー９が取り付けられている。天井ルーバー９は、図１及び図４（ａ）（ｂ）、図５（ａ）（ｂ）（ｃ）に示されるように、断面が長方形の中空体の上部に、上向きに開口するアリ溝形の取付溝１０を形成した部材である。
【００２６】
ストリンガー４には第２の固定手段を介して天井ルーバー９が取り付けられている。第２の固定手段もボルト１１とナット１２とによって構成されている。ボルト１１の頭部は天井ルーバー９の取付溝１０内に摺動自在に挿入されている。そして、ボルト１１の軸部はストリンガー４の切欠き６に係合し、その上に締結されたナット１２によって固定されている。
【００２７】
なお、第１の固定手段は、上述の例に限定されない。例えば、図示はしないが、ストリンガー４のレール５内に摺動自在に取り付けられたナットと、アングル材２を貫通し、貫通したボルトとによって構成してもよい。また、ナットはレール５内に摺動自在に取り付けられた受け板にボルトに螺合するネジ穴を形成したものであってもよい。
【００２８】
同様に、第２の固定手段も、例えば、図示はしないが、アリ溝形の取付溝１０内に摺動自在に取り付けられたナットと、ストリンガー４の切欠き６に係合するボルトとによって構成してもよい。この場合も、ナットは取付溝１０内に摺動自在に取り付けられた受け板にボルトに螺合するネジ穴を形成したものであってもよい。
【００２９】
上述の天井ルーバー９の取付構造によれば、ストリンガー４のレール５の端部からボルト７の頭部を挿入し、これをストリンガー４の長手方向に沿ってスライドさせることにより、どの位置であってもボルト７をアングル材２に貫通させ、ナット８で締結することができる。
【００３０】
また、天井ルーバー９の取付溝１０の端部からボルト１１の頭部を挿入し、これを天井ルーバー９の長手方向に沿ってスライドさせることにより、どの位置であってもボルト１１をストリンガー４の下部の切欠き６を貫通させ、ナット１２で締結することができる。
【００３１】
したがって、アングル材２とストリンガー４の位置決めが容易であるから、天井ルーバー９を簡単かつ確実に固定することができる。
【００３２】
また、天井に予め設けられている既設の吊りボルト１を、ストリンガー４に穴加工等を施すことなく固着できるため、コストを低減することができる。
【００３３】
さらに、ストリンガー４により既設の吊りボルト１に、天井ルーバー９を適宜配設間隔で取り付けることができるため、容易に顧客の要望どおりの施工ができる。
【００３４】
ストリンガー４もアルミニウムの形材を使用することができ、取り付けられた天井を床側から見上げたときに、天井ルーバー９の間からストリンガー４が視認できても、統一感があり、美観を損ねることがない。
【００３５】
さらに、天井ルーバー９は上部にアリ溝形の取付溝１０があればいいだけで、取付溝１０の下方のデザインは自由に選択することができるから、例えば図５（ａ）〜（ｃ）に示されるように、高さ寸法が異なる形状や、図６（ａ）〜（ｆ）に示すように、断面形状が異なるように形成してもよい。また、同一天井に同じ天井ルーバーを取り付ける態様に限定されない。例えば、図７に示されるように、高さの異なる天井ルーバー９を交互に配置することもできる。このような場合、部品点数が少なくコストが抑えられ、デザインの自由度も向上する。
【００３６】
また、第１の固定手段として、頭部がストリンガー４のレール５内に摺動自在に取り付けられるとともにアングル材２に貫通したボルト７と、該ボルト７に締結固定されたナット８とによって構成することにより、レール５内に挿入したボルト頭部を、レール５の長手方向に沿って簡単かつ自由に摺動させることができるため、既設の吊りボルト１にストリンガー４を容易に取り付けることができ、作業性がよい。また、ボルト７の位置決め後、ナット８で締結するだけで確実に固定できるため、容易に安全な取付けが可能であり、また、ボルト７を緩めると、位置を容易に変更できるため、作業性がよい。
【００３７】
さらに、第２の固定手段として、頭部が天井ルーバー９の取付溝１０内に摺動自在に取り付けられるとともに、上記切欠き６に係合したボルト１１と、該ボルト１１に締結固定されたナット１２とによって構成することにより、取付溝１０内に挿入したボルト頭部を、その長手方向に沿って簡単かつ自由に摺動させることができるため、ストリンガー４がどの位置にあっても容易に取り付けることができ、作業性がよい。また、ボルト１１の位置決め後、ボルト１１を締結するだけで確実に固定されるため、容易に安全な取付が可能であり、またボルト１１を緩めると、位置を容易に変更できるため、作業性がよい。さらに、ボルト１１は切欠き６に係合する構成であるから、抜き差しがしやすく、作業性がよい。
【符号の説明】
【００３８】
１  吊りボルト
２  アングル材
３  ナット
４  ストリンガー
６  切欠き
７  ボルト
８  ナット
９  天井ルーバー
１０  取付溝
１１  ボルト
１２  ナット
【図１】
0005920715.tif 000002
【図２】
0005920715.tif 000003
【図３】
0005920715.tif 000004
【図４】
0005920715.tif 000005
【図５】
0005920715.tif 000006
【図６】
0005920715.tif 000007
【図７】
0005920715.tif 000008